(57)【特許請求の範囲】
【請求項１】
下地材の上に固定される基台部材と、該基台部材に固定され屋根板を受ける支持部材を有する屋根板取り付け金具であって、
前記基台部材が、前記下地材と対向する上面板部と、該上面板部の両側部で垂下して固定されたときに前記上面板部と前記下地材との間に空間をつくる起立縁部を有し、
前記上面板部と前記起立縁部が下地材の幅方向に長い形状であり、
前記支持部材が、たて方向に延びる１枚の板状の立設片と、該立設片の下端に形成されてよこ方向の両側にそれぞれ延びる足部を有し、
前記基台部材の前記上面板部に、前記立設片の前記足部より上側の部分を挿入可能にする一方、前記足部を通過させず前記空間にとどめる形状の挿入穴が前記上面板部の長手方向に長く形成され、
前記足部が前記起立縁部方向に向けて延びて前記起立縁部に接触するものであり、前記起立縁部とこれに対向する部位に、前記基台部材と前記支持部材の位置関係を定める位置規制部が形成され、
前記足部の下面には、前記下地材に接する接地面が形成され、
前記立設片の上端部に、よこに延びて前記屋根板を受ける受け片が折り曲げ形成された
屋根板取り付け金具。
【請求項２】
前記起立縁部における前記足部に対応する部位に、前記足部を通す貫通穴部が形成された
請求項１に記載の屋根板取り付け金具。
【請求項３】
前記起立縁部の下端に、よこに延びて前記下地材の上面に接触する接地片が延設された
請求項１または請求項２に記載の屋根板取り付け金具。
【請求項４】
前記足部に、前記起立縁部より内側及び／又は外側で上方へ起立する起立片が形成された
請求項１から請求項３のうちいずれか一項に記載の屋根板取り付け金具。
【請求項５】
前記上面板部の天井面に当接する当接面を上端面に有した前記起立片を備える
請求項４に記載の屋根板取り付け金具。
【請求項６】
前記基台部材に、前記下地材に挟持固定する締め付け構造が設けられた
請求項１から請求項５のうちいずれか一項に記載の屋根板取り付け金具。
【請求項７】
下地材の上に固定される基台部材と、該基台部材に固定され屋根板を受ける支持部材を有する屋根板取り付け金具の組み立て方法であって、
前記基台部材が、前記下地材と対向する上面板部と、該上面板部の両側部で垂下して固定されたときに前記上面板部と前記下地材との間に空間をつくる起立縁部を有し、
前記上面板部と前記起立縁部が下地材の幅方向に長い形状であり、
前記支持部材が、たて方向に延びる１枚の板状の立設片と、該立設片の下端に形成されてよこ方向の両側にそれぞれ延びる足部を有し、
前記基台部材の前記上面板部に、前記立設片の前記足部より上側の部分を挿入可能にする一方、前記足部を通過させず前記空間にとどめる形状の挿入穴が前記上面板部の長手方向に長く形成され、
前記足部が前記起立縁部方向に向けて延びて前記起立縁部に接触するものであり、前記起立縁部とこれに対向する部位に、前記基台部材と前記支持部材の位置関係を定める位置規制部が形成され、
前記足部の下面には、前記下地材に接する接地面が形成され、
前記挿入穴に前記立設片を下から挿入したのち、
前記挿入穴から上に出た前記立設片の上端部にプレスを行って、よこに延びて前記屋根板を受ける受け片を形成する
屋根板取り付け金具の組み立て方法。
【発明の詳細な説明】
【技術分野】
【０００１】
この発明は、屋根板をＨ鋼などの下地材の上に固定する屋根板取り付け金具に関し、より詳しくは、組み立てが容易に行えるうえに高い強度を得られるような屋根板取り付け金具に関する。
【背景技術】
【０００２】
屋根板取り付け金具は下地材の上に固定されて、折板などの屋根板を取り付ける。下地材に対する固定は溶接で行われるもののほか、作業性の点から、例えば下記特許文献１に開示されているように挟持によって行うものもの知られている。
【０００３】
特許文献１の金具は、下地材の一部を上下に挟む挟持部と、この挟持部の上に設けられる金具本体を有する。金具本体は、複数のリベットにより重なり合った状態で固定される２個の折板支持部材で構成され、これら折板支持部材の下端には挟持部の上面に当接する当接部が形成されている。挟持部の上面に対する当接部の固定については具体的に開示されていないが、通常行われる溶接であると考えられる。
【０００４】
しかし部材同士の結合を溶接で行うのは手間がかかる上に加工精度にばらつきが生じやすい。
【０００５】
部材同士を上下に結合する方法としては、溶接のほかに、例えば下記特許文献２のようにボルトナットを用いる方法や、下記特許文献３のように、下の部材に対して上に突出する短筒状の係合突起をバーリングによって形成して、この係合突起に係合する係合穴を上の部材に形成して、両者を係合したのちに係合突起を圧潰してかしめる方法もある。
【０００６】
しかしボルトナットで部材同士の結合を行う場合には、ボルトナットを要するぶん部品点数が増す。前述のような係合突起と係合穴を利用する場合には、加工に手間がかかるうえに、かしめた部分だけで引張荷重に耐えなければならないので、十分な引張強度を得られないという難点がある。
【先行技術文献】
【特許文献】
【０００７】
【特許文献１】特開２００６−１９３９５０号公報
【特許文献２】特許第５６７７６６２号公報
【特許文献３】実公平７−４７５４７号公報
【発明の概要】
【発明が解決しようとする課題】
【０００８】
そこでこの発明は、部材同士を上下に結合することが容易に行えるとともに、十分な引張強度を得られるようにすることを主な目的とする。
【課題を解決するための手段】
【０００９】
そのための手段は、下地材の上に固定される基台部材と、該基台部材に固定され屋根板を受ける支持部材を有する屋根板取り付け金具であって、前記基台部材が、前記下地材と対向する上面板部と、該上面板部の両側部で垂下して固定されたときに前記上面板部と前記下地材との間に空間をつくる起立縁部を有し、前記上面板部と前記起立縁部が下地材の幅方向に長い形状であり、前記支持部材が、たて方向に延びる１枚の板状の立設片と、該立設片の下端に形成されてよこ方向の両側にそれぞれ延びる足部を有し、前記基台部材の前記上面板部に、前記立設片の前記足部より上側の部分を挿入可能にする一方、前記足部を通過させず前記空間にとどめる形状の挿入穴が前記上面板部の長手方向に長く形成され、前記足部が前記起立縁部方向に向けて延びて前記起立縁部に接触するものであり、前記足部の下面には、前記下地材に接する接地面が形成され、前記起立縁部とこれに対向する部位に、前記基台部材と前記支持部材の位置関係を定める位置規制部が形成され、前記立設片の上端部に、よこに延びて前記屋根板を受ける受け片が折り曲げ形成された屋根板取り付け金具である。
【００１０】
この構成では、基台部材の上面板部に形成された挿入穴に支持部材の立設片を挿入して、立設片の下端でよこ方向に延びる足部を上面板部の下の空間に保持すると、容易に分離しないように基台部材と支持部材を結合できる。足部は支持部材と一体に構成することも別部材で構成することもできる。このとき、基台部材または下地材の少なくともいずれかが基台部材に対する支持部材のたて方向の位置関係を定めるとともに、基台部材と支持部材の位置規制部が両者の少なくともよこ方向の位置関係を規制し、不要な回転や位置ずれを阻止する。
【００１１】
基台部材が下地材に固定され、支持部材に屋根板を取り付けたときの正及び負の荷重は、支持部材の立設片および足部と基台部材の挿入穴の周囲が協働して支え、負の荷重、つまり引張に対しては特に、よこに張りだす足部とこれに対向する上面板部が結合状態を保持する。
【発明の効果】
【００１２】
この発明によれば、基台部材と支持部材の組み付けは、挿入動作と受け片の形成で行え、ボルトナットなどの部材を不要にすることが可能であり、部材の結合が容易である。しかも、支持部材のよこに延びる足部が基台部材の上面板部の下の空間に保持されるので、基台部材と支持部材との間はボルトナットで強固に締め付けて一体化するなどしなくても、高い引張強度を得ることができる。
【図面の簡単な説明】
【００１３】
【図１】屋根板取り付け金具の斜視図。
【図２】屋根板取り付け金具と下地材の斜視図。
【図３】屋根板取り付け金具の分解斜視図。
【図４】屋根板取り付け金具の固定状態を示す断面図。
【図５】組み付け途中の屋根板取り付け金具の斜視図。
【図６】屋根板取り付け金具の縦断面図。
【図７】他の例に係る屋根板取り付け金具の斜視図。
【図８】図７の屋根板取り付け金具における立設部材の斜視図。
【図９】図７に示した屋根板取り付け金具の組み付け途中の斜視図。
【図１０】他の例に係る屋根板取り付け金具の斜視図。
【図１１】図１０の屋根板取り付け金具の分解斜視図。
【図１２】他の例に係る上金具の斜視図。
【図１３】他の例に係る上金具の斜視図。
【図１４】他の例に係る屋根板取り付け金具の断面図。
【図１５】図１４の屋根板取り付け金具の要部の断面図。
【図１６】他の例に係る屋根板取り付け金具の要部の断面図。
【図１７】他の例に係る屋根板取り付け金具の要部の断面図。
【図１８】他の例に係る屋根板取り付け金具の一部断面側面。
【図１９】他の例に係る屋根板取り付け金具の斜視図。
【発明を実施するための形態】
【００１４】
この発明を実施するための一形態を、以下図面を用いて説明する。  
図１は、屋根板取り付け金具１１（以下「金具」という）の斜視図であり、この金具１１は、屋根板（図示せず）を係止する吊子１２を上端部に取り付けて使用される。
【００１５】
吊子１２は、図１に示したようないわゆる角ハゼタイプのもののほか、仮想線で示したような丸ハゼタイプのものでよく、吊子１２には様々な形状のものを使用できる。図１に示した吊子１２は、金具１１への固定に供する固定部１２ａが垂直に広がる平板状に形成され、固定部１２ａには貫通穴１２ｂが形成されている。この吊子１２は、根角ボルト１３、正面視逆Ｌ字状の補助金具１４、座金１５、スプリングワッシャ１６及びナット１７を用いて固定される。
【００１６】
金具１１は、図２に示したように、下地材としてのＨ鋼１８に固定して使用されるもので、Ｈ鋼１８の上に固定される基台部材３１と、この基台部材３１の上に固定され屋根板を受ける支持部材５１を有する。Ｈ鋼１８は、形成する屋根の勾配方向と直交する方向に延びる長尺状である。
【００１７】
金具１１の基台部材３１は、図３に示したように、上金具３２と下金具３３で構成され、Ｈ鋼１８に挟持固定する締め付け構造を有している。
【００１８】
上金具３２は正面視横コ字状で、上面に所定幅でＨ鋼１８の幅よりも長くＨ鋼１８と対向する平面視長方形状の平らな上面板部３２ａ（図２参照）と、上面板部３２ａの左右両側部で垂下して、図４に示したようにＨ鋼１８に固定されたときに上面板部３２ａとＨ鋼１８との間に空間Ｓをつくる起立縁部３２ｂを有している。
【００１９】
上面板部３２ａは主として支持部材５１を保持する部分で、起立縁部３２ｂはＨ鋼１８の上面に立って主に上面板部３２ａをＨ鋼１８から浮かせる部分である。これら上面板部３２ａと起立縁部３２ｂは上金具３２の長手方向ほぼ全体において同じように形成される。上金具３２における支持部材５１を保持する部分は長手方向の中間部である。
【００２０】
起立縁部３２ｂの高さは、支持部材５１の下端部を保持可能とするとともに、必要な強度を得られる高さである。起立縁部３２ｂのうち、長手方向の一端部、たとえば屋根の勾配方向下側に対応する部位に、図２に示したようにＨ鋼１８の上のフランジ１９における屋根の勾配方向下側に対応する端縁１９ａに係止するフック状の係止部３４が形成されている（図４参照）。係止部３４は側面視Ｌ字形で、Ｈ鋼１８のフランジ１９に対して外側から内側に移動させることで係止する。
【００２１】
上面板部３２ａの長手方向の中間部であって幅（左右）方向の中間位置には、長手方向に長い切り込み状の挿入穴３５が形成されている。挿入穴３５は、支持部材５１を保持する部分で、支持部材５１の下端部より上側の部分を挿入可能にする一方、下端部を通過させず前述の空間Ｓにとどめる形状である。
【００２２】
上面板部３２ａの長手方向の他端部（前述の係止部３４を有する側と反対側の端部）には、下金具３３を取り付けるための長穴３６が形成されている。長穴３６は、上面板部３２ａの幅（左右）方向の中間で、上面板部３２ａの長手方向にのびるものである。上金具３２の長手方向の両端には端部の形状を補強するための折り曲げリブ３７が形成されている。折り曲げリブ３７は上に折り曲げたものである。
【００２３】
起立縁部３２ｂの長手方向の中間部、すなわち支持部材５１を固定する部位には、内外に貫通する貫通穴部３８が形成されている。貫通穴部３８は本体金具５１の下端部を構成する板材の一部を通すための部分であり、支持部材５１の下端部の形状に合わせて形成される。
【００２４】
貫通穴部３８は図示例では起立縁部３２ｂの下端縁から上に凹む凹段部で形成されている。つまり起立縁部３２ｂの下端と平行でそれより上に位置する直線部３８ａと、この直線部３８ａの両端位置の端面部３８ｂを有する。貫通穴部３８は凹段部のほか、起立縁部３２ｂの上下方向の中間位置に四方が囲まれた穴で形成してもよい。
【００２５】
貫通穴部３８の凹みは、図示例では支持部材５１を構成する板材の厚さと同等またはそれより僅かに深く設定される。貫通穴部３８の起立縁部３２ｂの長手方向における長さは、取り付ける支持部材５１を長手方向で移動不可とするため、支持部材５１の対応部位の幅に嵌合対応する長さに設定される。また貫通穴部３８は、左右の起立縁部３２ｂ間で互いに向き合う位置ではなく、挿入穴３８に対応する範囲内で長手方向に位置をずらして形成されている。
【００２６】
前述のように貫通穴部３８は支持部材５１の下端部の形状に合わせて形成されるので、貫通穴部３８は例えば左右の起立縁部３２ｂの一方のみに形成されるものであってもよく、ひとつの起立縁部３２ｂに形成される貫通穴部３８の個数は１個ずつには限られず複数であってもよい。
【００２７】
下金具３３は、上金具３２と同じく正面視横コ字形で、上面に所定幅の平板部３３ａを有し、平板部３３ａの両側縁に垂下片部３３ｂを有し、上金具３２の内側に嵌合対応する大きさである。下金具３３における上金具３２の長手方向に対応する方向の長さは、上金具３２の長さよりも短く長穴３６を有する部位に保持できる長さである。下金具３３の上金具３２の他端部に対応する側の端に、Ｈ鋼１８のフランジ１９における端縁１９ｂに係止するフック状の係止部３９が形成されている（図２参照）。この係止部３９も側面視Ｌ字状で、Ｈ鋼１８のフランジ１９に対して外側から内側に移動させることで係止する。
【００２８】
係止部３９を含む下金具３３の高さは、下金具３３を上金具３２の下に収めたときに上金具３２の上面板部３２ａが水平または略水平になる高さである。
【００２９】
下金具３３の平板部３３ａは上面の中央に、上金具３２の長穴３６に挿通するボルト４０を立設している。このボルト４０には、ワッシャ４１及びスプリングワッシャ４２が挿嵌され、ナット４３が螺合される。平板部３３ａにおけるボルト４０を挟む長手方向の両側位置には、下に向けて突出する膨出リブ４４が形成されている。
【００３０】
図４は基台部材３１をＨ鋼１８のフランジ１９に固定した状態の断面を示している。固定に際しては、基台部材３１の上金具３２の係止部３４と下金具３３の係止部３９をフランジ１９に係止し、上金具３２と下金具３３の係止部３４，３９でＨ鋼１８のフランジ１９をフランジ１９の幅方向に挟み込んだ状態で下金具３３のボルト４０に螺合したナット４３を締め付けると、下金具３３が上に引き付けられ、下金具３３の係止部３９と上金具３２の起立縁部３２ｂがＨ鋼１８のフランジ１９を挟持し、基台部材３１の固定状態が得られる。
【００３１】
上金具３２の係止部３４と、下金具３３の係止部３９と、上金具３２における係止部３９に対向する部分が、前述の締め付け構造を構成する。
【００３２】
金具１１の支持部材５１は、図１、図２、図３に示したように、たて方向に延びる板状の立設片５２と、この立設片５２の下端に一体に形成されてよこに延びる足部５３を有する。
【００３３】
立設片５２は、基台部材３１の長さよりも短い適宜幅の長方形板状で、基台部材３１の挿入穴３５に挿入可能な幅である。立設片５２の上端部に前述の吊子１２を介して屋根板が支持される。吊子１２を固定するために立設片５２の上部には角穴５２ａが形成されている。立設片５２における角穴５２ａよりも下側の部分には、たてに長い２本の補強リブ５４が膨出形成されている。２本の補強リブ５４の膨出方向は違えている。立設片５２がこのような補強リブ５４を有するので、基台部材３１の挿入穴３５は、補強リブ５４に対応する部位に、補強リブ５４の断面形状に嵌り合う形状の切欠き３５ａを有している（図３参照）。
【００３４】
このように挿入穴３５は、立設片５２における補強リブ５４を有する部分の横断面形状と嵌り合う形状であって、挿入穴３５と立設片５２との間での相対回転は規制されるので、挿入穴３５とこれに対向する部位は、基台部材３１と支持部材５１の位置関係、特によこ方向での位置関係を定める位置規制部である。
【００３５】
立設片５２は基台部材３１との組み付け前には図３に示したように平板状であるが、立設片５２の上端部には、基台部材３１の挿入穴３５に対する立設片５２の挿入後に、図１、図２に示したように、よこに延びて屋根板を受ける受け片５５が形成される。この受け片５５は、立設片５２の上端部を左右方向の一方に折り曲げて挿入穴３５の平面視形状よりも大きく形成されるものである。
【００３６】
足部５３は、図３、図４に示したように、支持部材５１の下端部を幅方向で二分割して、それぞれ左右方向に互い違いの方向に直角に曲げて形成される。足部５３の下面はＨ鋼１８に接する接地面５３ａである。足部５３の幅と前述の貫通穴部３８の幅は嵌り合う関係にある。つまり貫通穴部３８は起立縁部３２ｂにおける足部５３に対応する部位に、嵌り合う大きさで形成されており、足部５３を通す。足部５３の長さは、立設片５２を基台部材３１の挿入穴３５に嵌めたときに先端が基台部材３１の起立縁部３２ｂの外側に出る長さである。足部５３の途中まで、具体的には起立縁部３２ｂに達する位置より手前まで、前述の補強リブ５４が延設されている。
【００３７】
足部５３の先端には、起立縁部３２ｂより外側で、起立縁部３２ｂに接して、又は隙間をあけて上方へ起立する起立片５６が形成されている。起立片５６の長さ（高さ）は、起立縁部３２ｂと同等かそれ以下であるとよい。
【００３８】
足部５３の側部、具体的には立設片５２の幅方向外側に対応する側部には、起立縁部３２ｂより内側で上方へ起立する内側起立片５７が形成されている。この内側起立片５７の長さ（高さ）は、足部５３の下面（接地面５３ａ）をＨ鋼１８の上面に接したときに基台部材３１の上面板部３２ａの天井面に当接する長さである。つまり内側起立片５７の上端面は、上面板部３２ａの天井面に当接する当接面５７ａである。
【００３９】
前述のように起立縁部３２ｂとこれに対向する部位、つまり足部５３、起立片５６、内側起立片５７は、互いに接触したり嵌り合ったりして基台部材３１と支持部材５１の相対回転を阻止する。すなわち、起立縁部３２ｂとこれに対向する部位は、基台部材３１と支持部材５１の位置関係、特によこ方向での位置関係を定める位置規制部である。
【００４０】
以上のような基台部材３１と支持部材５１を有する金具１１は、次のように組み立てられる。
【００４１】
まず、受け片５５が形成される前の平板状の支持部材５１を基台部材３１の挿入穴３５に下から挿入し、図５に示したように、挿入穴３５から上に出た立設片５２の上端部に、金型７１を用いてプレスを行い、図５に仮想線で示したように受け片５５を形成する。受け片５５の上面は、立設片５２の幅方向の中間部ほど高くなるように屋根の勾配方向に湾曲している。
【００４２】
受け片５５の形成によって、図６に示したように、基台部材３１の下への抜けに対しては受け片５５が、上への抜けに対しては足部５３が、確実な抜け止めとして機能する。つまり、受け片５５の形成で、基台部材３１の上金具３２に対する支持部材５１の組み付けが完了することになる。このとき支持部材５１の下端の足部５３や起立片５６は、上金具３２の起立縁部３２ｂに嵌って固定されても、そうでなくてもよい。いずれにしても、基台部材３１をＨ鋼１８に固定したときには、図４に示したように、支持部材５１の足部５３の下端の接地面５３ａがＨ鋼１８の上面に接して基台部材３１と支持部材５１の上下方向での位置関係が安定するからである。
【００４３】
つぎに、ナット４３などを用いて上金具３２に下金具を組み付ければ、金具１１の組立が完了する。
【００４４】
Ｈ鋼１８に固定される基台部材３１と、これの上に保持される支持部材５１の結合は、支持部材５１を基台部材３１に下から挿入して支持部材５１の上端部に受け片５５を形成すればよいので、容易に行える。受け片５５は足部５３に比べて大きく形成できるので、足部５３をプレスにより形成するよりも作業性がよい。しかもボルトナットなどの別部材が不要であるので、部品点数の低減や軽量化、不測の分離阻止をはかることもできる。受け片５５は挿入穴３５よりも大きいので、支持部材５１が基台部材３１から不測に脱落することを阻止できる。
【００４５】
以上のような構成の金具１１は、図１に示したように、支持部材５１にナット１７などを用いて吊子を取り付けて、屋根板の取り付けに使用される。
【００４６】
金具１１をＨ鋼１８の上に固定するには、基台部材３１の上金具３２と下金具３３でＨ鋼１８を挟む。基台部材３１がＨ鋼１８に固定されると、支持部材５１の足部５３の接地面５３ａは、Ｈ鋼１８の上面に接して、支持部材５１にかかる上からの荷重を支える。このとき、基台部材３１の上面板部３２ａと起立縁部３２ｂが空間Ｓ内の足部５３を包み込んで、足部５３の移動や変形を阻止する。そのうえ、基台部材３１と支持部材５１の位置規制部、つまり挿入穴３５とこれに対向する部位および起立縁部３２ｂとこれに対向する部位の双方が、基台部材３１と支持部材５１の間の不要な回転や位置ずれを阻止して、堅固な位置規制を行う。
【００４７】
起立縁部３２ｂに足部５３を通す貫通穴部３８を有するとともに、位置規制部のひとつとして起立縁部３２ｂに添う起立片５６を備えているので、回転や位置ずれ防止はより確実に行える。また足部５３の下面はＨ鋼１８に接する接地面５３ａであるので、支持部材５１にかかる荷重を基台部材３１で支える負担が減り、荷重の支持が良好に行える。
【００４８】
引っ張りの荷重に対しても、支持部材５１の立設片５２および足部５３と基台部材３１の挿入穴３５の周囲が協働して支え、特に、よこに張りだす足部５３とこれに対向する上面板部３２ａが結合状態を保持する。
【００４９】
立設片５２にも足部５３にも補強リブ５４が形成されているので強度は高い。そのうえ、足部５３には位置規制部としての起立片５６と共に、内側起立片５７を備えて、内側起立片５７の上端には上面板部３２ａの天井面に当接する当接面５７ａを備えているので、引張に対しては、より一層強度を高めることができる。
【００５０】
以上のように、基台部材３１と支持部材５１の上下の結合が容易であるとともに、使用時に十分な引張強を得ることができる。
【００５１】
以下、その他の例を説明する。この説明において、前述の構成と同一または類似する部位については同一の符号を付してその詳しい説明を省略する。
【００５２】
図７は、他の例に係る金具１１の斜視図である。この金具１１は、使用する吊子１２の固定部１２ａが前述のような垂直ではなく水平となる形状の場合に適した金具１１である。
【００５３】
この金具１１を構成する支持部材５１は、図８に示したように、角穴５２ａに代えて、リベット止めのための貫通穴５２ｂが形成されている。組み立てに際しては、図９に示したように、受け片５５を形成したのち、正面視逆Ｌ字状の補助金具１４をリベット１４ａで立設片５２に固定する。このあと、図７に示したように補助金具１４に吊子１２のせるようにして取り付けて屋根板の取り付けに使用する。
【００５４】
図１０は、他の例に係る金具１１の斜視図である。この金具１１は、締め付け構造が前述の構成と異なる。
【００５５】
上金具３２は、上面板部３２ａと起立縁部３２ｂを有し、前述のような係止部３４（図３参照）を有しない形状である。上面板部３２ａの長手方向の両側には図１１に示したように、前述と同様の長穴３６と折り曲げリブ３７を有し、２個の下金具３３が保持される。この下金具３３と上金具３２でＨ鋼１８を締め付けて固定する構成である。
【００５６】
下金具３３は、ボルト４０を立設した方形状の平板部３３ａと、この平板部３３ａの一辺一端縁から垂設された垂下片部３３ｂと、垂下片部３３ｂの下端から平板部３３ａの下に向けて斜め上に向けて延びる傾斜板３３ｃと、傾斜板３３ｃの先端から水平に延びる圧接板３３ｄで構成されている。この圧接板３３ｄと上金具３２の起立縁部３２ｂの下端縁でＨ鋼１８のフランジ１９を上下に挟持するとともに、２個の下金具３３の垂下片部３３ｂ同士の間でＨ鋼１８のフランジ１９を幅方向に挟み付ける。上金具３２の起立縁部３２ｂの下端縁と、下金具３３の圧接板３３ｄと、下金具３３の垂下片部３３ｂが締め付け構造を構成する。
【００５７】
この下金具３３には、図３に示した下金具３３と同一の構成のものを用いることもできる。
【００５８】
このように構成された締め付け構造でも、簡単に強固な固定状態が得られる。
【００５９】
図１２は、基台部材３１を構成する上金具３２の他の例を示す斜視図である。上金具３２の起立縁部３２ｂの下端における貫通穴部３８を挟む位置には、よこに延びてＨ鋼１８の上面に接触する接地片３２ｃが形成されている。接地片３２ｃは、外側に直角に折り曲げて形成され、接地片３２ｃを形成することによって、貫通穴部３８が形成されることになる。前述の図１０、図１１の例における上金具３２に接地片３２ｃを形成すると、図１３に示したようになる。
【００６０】
このような接地片３２ｃを備えると、上金具３２のＨ鋼１８に対する接触面積が増えるので、固定状態を安定させることができる。このため、より強固な固定状態が得られる。
【００６１】
図１４は、接地片３２ｃを上金具３２の長手方向全体に形成した金具１１の長手方向に沿って切断した断面図である。この金具１１の支持部材５１は、長手方向と直交する方向で切断した断面図である図１５に示したように、下端には足部５３のみを形成している。足部５３の長さは、上金具３２の起立縁部３２ｂに接する長さである。足部５３の先端まで補強リブ５４が形成されている。この足部５３を収める空間Ｓの高さは、補強リブ５４を有する部分の高さに対応させている。
【００６２】
図１６に示したように、足部５３の先端に、起立縁部３２ｂの内側で起立縁部３２に添って上方へ起立する起立片５６を形成することもできる。起立片５６の上端面は、上面板部３２ａの天井面に当接する当接面５６ａである。起立片５６で、たて方向及びよこ方向での位置決めがなされる。そのうえ当接面５６ａが引張に対する耐力を発揮させる。
【００６３】
また、図１７に示したように、足部５３の長さを上金具３２の起立縁部３２ｂを越える長さにして、貫通穴部３８を有するとともに、足部５３の先端に対応する部位に、足部５３の先端を通すまたは嵌める切欠き３２ｄが形成されている。足部５３の先端部の上面が貫通穴部３８と切欠き３２ｄで規制されて、たて方向及びよこ方向での位置決めがなされる。
【００６４】
このような構成でも、前述と同様に簡単な組み付け性と十分な強度を得られる。
【００６５】
図１８は、他の例に係る金具１１の縦断面図であり、この金具１１は、支持部材５１の両側縁における基台部材３１より上の部分に、引き起こすように変形させた縁リブ５８が形成されている。縁リブ５８は、受け片５５を形成するときに形成され、両側縁の縁リブ５８の引き起こし方向は違えている。
【００６６】
縁リブ５８を備えると、立設片５２の強度を更に高められるとともに、足部５３を上金具３２に固定しない場合には、基台部材３１と支持部材５１の相対移動の範囲を小さくすることができる。
【００６７】
図１９は、他の例に係る金具１１の縦断面図であり、この金具１１は、支持部材５１の両側縁に折り曲げリブ５９を備えている。折り曲げリブ５９は、基台部材３１の上面板部３２ａより下の部分まで形成されている。折り曲げリブ５９を有するため、上面板部３２ａの挿入穴３５の両端には、折り曲げリブ５９を通す切欠き３５ｂが形成されている。
【００６８】
このような構成にしても、立設片５２の強度を高められる。
【００６９】
この発明の構成と、前述の一形態の構成との対応において、  
この発明の下地材は、前述のＨ鋼１８に対応するも、  
この発明は前述の構成のみに限定されるものではなく、その他の構成を採用することができる。
【００７０】
たとえば、下地材はＨ鋼１８のほかの溝型鋼などであってもよく、基台部材３１は下地材の形状に合わせて適宜構成される。
【００７１】
支持部材５１の上端の受け片５５は、平らな形状であってもよい。
【００７２】
受け片５５は、立設片５２とは別部材を固定して形成することもできる。
【００７３】
足部５３は、立設片５２とは別部材で構成して、立設片５２や上金具３２に後付けで固定してもよい。
【００７４】
基台部材３１の起立縁部３２ｂは、前述の構成においてはＨ鋼１８の幅方向、つまり長手方向と直交する方向に沿って形成したが、Ｈ鋼１８の長手方向に沿う方向に形成してもよい。この場合、金具１１はひとつの基台部材３１に複数の支持部材５１を一定間隔で保持して構成することもできる。
【符号の説明】
【００７５】
１１…屋根板取り付け金具
１８…Ｈ鋼
３１…基台部材
３２ａ…上面板部
３２ｂ…起立縁部
３２ｃ…接地片
３５…挿入穴
３８…貫通穴部
５１…支持部材
５２…立設片
５３…足部
５３ａ…接地面
５５…受け片
５６…起立片
５６ａ…当接面
５７…内側起立片
５７ａ…当接面
Ｓ…空間
【要約】
【課題】屋根板をＨ鋼の上に固定する屋根板取り付け金具において、Ｈ鋼に対して固定する基台部材と、基台部材に固定する金具本体との組み立てが容易に行えるうえに、十分な引張強度を得られるようにする。
【解決手段】基台部材３１に、Ｈ鋼と対向する上面板部３２ａと、上面板部３２ａの両側部で垂下して固定されたときに上面板部３２ａとＨ鋼１８との間に空間をつくる起立縁部３２ｂを備え、支持部材５１に、たて方向に延びる板状の立設片５２と、立設片５２の下端に一体形成されてよこ方向に延びる足部５３を備える。上面板部３２ａに、立設片５２の足部５３より上側の部分を挿入可能にする一方で足部５３を通過させず空間にとどめる形状の挿入穴３５を形成する。挿入穴３５に立設片５２を下から挿入したのち、立設片５２の上端部に、よこに延びて屋根板を受ける受け片を折り曲げによって形成して、基台部材３１と支持部材５１を結合する。
【選択図】図５【図１】
0005851640.tif 000002
【図２】
0005851640.tif 000003
【図３】
0005851640.tif 000004
【図４】
0005851640.tif 000005
【図５】
0005851640.tif 000006
【図６】
0005851640.tif 000007
【図７】
0005851640.tif 000008
【図８】
0005851640.tif 000009
【図９】
0005851640.tif 000010
【図１０】
0005851640.tif 000011
【図１１】
0005851640.tif 000012
【図１２】
0005851640.tif 000013
【図１３】
0005851640.tif 000014
【図１４】
0005851640.tif 000015
【図１５】
0005851640.tif 000016
【図１６】
0005851640.tif 000017
【図１７】
0005851640.tif 000018
【図１８】
0005851640.tif 000019
【図１９】
0005851640.tif 000020